(57)【要約】      （修正有）【課題】ダイヤルされた個々の電話番号に応じた保留音を提供する。【解決手段】保留音楽検出装置において検出パラメータを設定する方法は、ダイヤルされた電話番号８０１を、データベース内の電話番号と比較するステップ８０２を含む。ダイヤルされた電話番号がデータベースで見つかった場合８０２はい、その電話番号に関連付けられた検出パラメータ及び／又は検出ソフトウェアが、データベースから取り出され８０３、読みだされた検出パラメータ及び／又は検出ソフトウェアは、保留音楽検出ユニットに提供される８０４。【選択図】図８
2016010155.tif 000002
【特許請求の範囲】
【請求項１】
電話接続中の保留音楽を、コンテンツソース（１０９、２０９、３０９、４０９）の他のコンテンツと置き換える装置を制御する方法であって、
ダイヤルされた電話番号を受信するステップと、
前記ダイヤルされた電話番号を、データベース（１０４、２０４、３０４、４０４）に記憶された電話番号と比較するステップと、
前記ダイヤルされた電話番号が、前記データベース（１０４、２０４、３０４、４０４）で見つかった場合、前記電話番号に関連付けられた少なくとも１つの検出パラメータおよび／または検出ソフトウェアを前記データベース（１０４、２０４、３０４、４０４）から取り出すステップであって、前記少なくとも１つの検出パラメータおよび／または前記検出ソフトウェアは、前記ダイヤルされた電話番号から受信されることが見込まれる前記保留音楽の特性を検出するように最適化され、それにより保留音楽の検出の実行に必要な処理電力を低減する、前記ステップと、
前記少なくとも１つの取り出された検出パラメータおよび／または前記検出ソフトウェアを、保留音楽検出ユニット（１０６、２０６、３０６、４０６）に提供するステップと、
前記保留音楽検出ユニット（１０６、２０６、３０６、４０６）で前記保留音楽の検出を行うステップと、
保留音楽を、前記コンテンツソースが提供した他のコンテンツと置き換えるステップと、
を含む、前記方法。
【請求項２】
前記少なくとも１つの検出パラメータおよび／または前記検出ソフトウェアは、前記保留音楽検出ユニットがオーディオ信号分析を行うように構成する、請求項１に記載の方法。
【請求項３】
前記少なくとも１つの検出パラメータおよび／または前記検出ソフトウェアは、前記保留音楽検出ユニットが透かし検出を行うように構成する、請求項１に記載の方法。
【請求項４】
比較する前記ステップおよび／または取り出す前記ステップは、ユーザの装置内のローカルデータベース（１０４）にアクセスするステップ、または、別個のデータ接続を介してリモートデータベース（２０４、３０４、４０４）にアクセスするステップを含む、請求項１に記載の方法。
【請求項５】
前記オーディオ信号分析は、適応的に自己学習し、以前の保留音楽検出中に修正された信号分析パラメータは、前記データベース（１０４、２０４、３０４、４０４）内で更新される、請求項２に記載の方法。
【請求項６】
前記保留音楽検出ユニットで行われた前記適応的な自己学習オーディオ信号分析において保留音楽を識別した後、それまで保留音楽に関連付けられていなかった電話番号が、前記データベース（１０４、２０４、３０４、４０４）に追加される、請求項５に記載の方法。
【請求項７】
前記適応的な自己学習オーディオ信号分析は、初期検出パラメータセットおよび／または検出ソフトウェアを用いて開始される、請求項６に記載の方法。
【請求項８】
前記初期検出パラメータセットおよび／または検出ソフトウェアは、複数の検出方法および／または保留音楽の種類のうちの１つを示すユーザ入力に基づいて選択される、請求項７に記載の方法。
【請求項９】
前記適応的な自己学習オーディオ信号分析は、前記初期検出パラメータセットおよび／または検出ソフトウェアのそれぞれを用いて、前記複数の検出方法の各１つを順次適用するステップと、性能が最高の方法を選択するステップとを含む、請求項８に記載の方法。
【請求項１０】
保留音楽を検出する前記ステップは、第一者（１０１、２０１、３０１、４０１）と第二者（１０２、２０２、３０２、４０２）との間の電話接続の経路が指定されているネットワークに配置された検出部（４０６）で行われ、
前記検出に使用する検出パラメータおよび／または検出ソフトウェアに関連付けられた信号を前記第一者（１０１、２０１、３０１、４０１）から前記検出部（４０６）に提供するステップをさらに含む、請求項１〜９のいずれか一項に記載の方法。
【請求項１１】
前記データベース（２０４、３０４、４０４）は前記ネットワークに配置され、検出パラメータおよび／または検出ソフトウェアに関連付けられた信号を提供する前記ステップは、前記ダイヤルされた電話番号を送信するステップ、または、前記ダイヤルされた電話番号を取得するために、前記検出部が前記ネットワークにアクセスできるようにするステップを含む、請求項１０に記載の方法。
【請求項１２】
前記データベースは前記第一者の施設に配置され、検出パラメータおよび／または検出ソフトウェアに関連付けられた信号を提供する前記ステップは、前記検出部がアクセス可能な方法で前記ネットワークに記憶された検出パラメータおよび／または検出ソフトウェアを選択する信号を送信するステップを含む、請求項１０に記載の方法。
【請求項１３】
前記データベース（４０４）は前記第一者の施設に配置され、検出パラメータおよび／または検出ソフトウェアに関連付けられた信号を提供する前記ステップは、前記第一者の施設に配置された記憶装置からの検出パラメータおよび／または検出ソフトウェアを送信するステップを含む、請求項１０に記載の方法。
【請求項１４】
電話、保留音楽検出部、電話番号ならびに検出パラメータおよび／または検出ソフトウェアを記憶するデータベースを含むシステムであって、請求項１〜１３のいずれか一項または複数項の方法を行うように適合された、システム。
【請求項１５】
請求項１４に記載のシステムで実行されると請求項１〜１３の一項または複数項の方法を行うプログラム命令を、非一時的に記憶するための、データ記憶装置。
【発明の詳細な説明】
【技術分野】
【０００１】
本発明は、通信に関し、詳細には、保留中の電話の呼び出しにおけるオーディオコンテンツの取り扱いに関する。
【背景技術】
【０００２】
一般的な電話機能では、ユーザを「保留」に、すなわち、「保留」状態にする。第１のユーザが、第２のユーザを保留にすると、接続は維持された状態で、第１のユーザのハンドセットの接続が絶たれる。これによって、第１のユーザは、別の電話に出たり、そのハンドセットから離れたりすることができる。保留機能または保留状態が有効にされると、第２のユーザは、ニュース放送や事前に録音されたメッセージなどの受信信号経路に関して、別の信号ソースに接続されるかもしれない。保留接続のための一般的な信号ソースは、「保留音楽」と呼ばれる事前に録音された音楽または放送音楽で、接続が保留状態中、選択された音楽が、受信機に送信される。選択された音楽は、保留状態が終了するまで、第２のユーザのハンドセットの受信機で再生される。
【０００３】
第２のユーザは、一般的に、保留音楽の制御手段を持たない。ある種の保留音楽は、迷惑であったり、不快であったりする場合がある。従って、保留音楽を、第２のユーザが選択し、接続の第２のユーザ側で提供される他のコンテンツと置き換えるという幅広い需要がある。この需要によって、電話接続時に、保留音楽を置き換える様々な方法および装置が開発されることになった。
【０００４】
例えば、国際公開第２００９／０７３０３５号は、保留状態で、ハンドセットの受信機でメディアを再生するための１つまたは複数のソースをユーザが選択することができ、保留状態が終了するとユーザに知らせる無線電話のハンドセットを開示している。保留音楽を検出することによって、または、保留信号伝達を受信することによって、保留状態が検出される。メディアソースは、ユーザのハンドセットに配置されるか、または、ハンドセットとネットワークとの間に確立された別個の接続を介してアクセスされる。
【０００５】
同様に、米国特許第７１３６４７９号明細書は、保留音楽を電話機の受信機にあるローカルソースのオーディオコンテンツと置き換えることを開示している。ローカルオーディオコンテンツは、保留音楽が検出されている間、ユーザに対して再生される。
【０００６】
より一般的には、米国特許第８４１２１６４号明細書は、ユーザが電話接続で保留にされている間、ユーザが選択可能な様々な種類のデータを再生することを開示している。
【発明の概要】
【０００７】
保留音楽の検出には、時間がかかる。また、例えば、シングルトーンの「電子」音楽、または、ポップス、ロック、クラシックなどの異なるジャンルの実際の音楽など、異なる種類の保留音楽が利用可能である。このため、保留音楽の検出は難しくなる。これらの異なる種類やジャンルは同じようによく認識されることが必要であるが、異なる種類またはジャンルの音楽はそれぞれ、最適の認識結果を得るために異なるパラメータ、方法、および／またはソフトウェアを必要とするからである。保留音楽に透かしが入っている場合は、透かしの認識が音楽の認識に優先されるので、さらに異なったパラメータセット、方法、および／またはソフトウェアが必要となるであろう。保留音楽を示すためにフラグや他の信号が送信される場合にも同じことが言える。このようなフラグまたは信号は、ＦＭラジオで用いられるＲＤＳ交通情報と同様に、帯域内で送信されてもよく、専用制御チャネルを介して送信されてもよい。どちらの場合も、検出部は、第一者の装置に配置されるか、または、ネットワークに置かれて第一者の装置と通信する。検出に必要な時間は、検出される保留音楽の種類によって異なる可能性がある。
【０００８】
認識は、一般的に、認識のためのソフトウェアおよびパラメータを備えたデジタル信号プロセッサによって行われる。単一のパラメータセットは、異なる種類の音楽、異なるジャンルの音楽に最適な認識結果を提供せず、透かしの検出に関してはよりその傾向があることは、よく知られている。音楽の考え得る各種類および各ジャンルに対して、また、透かしの検出に対して、処理能力、メモリ、ならびに、他の要素およびコンポーネントを提供しなくてすむように、本発明は、音楽の種類またはジャンルに応じて、または、透かしの使用の有無に応じて、ダイヤルされた個々の電話番号に対して予測可能なパラメータセットの提供を提案している。
【０００９】
本発明では、個々の電話番号に関連付けられた音楽の種類もしくはジャンル、または、透かしの使用は、仮に変わるとしても、ほとんど変わることはないと考えている。従って、本発明によると、最も適切なパラメータセット、または、認識ソフトウェアまでもが、ダイヤルされた電話番号に従ってデータベースから選択され、保留認識ユニットに提供される。保留認識ユニットは、一般的に、デジタル信号プロセッサを含み、デジタル信号プロセッサは、選択されたパラメータセットおよび／またはソフトウェアを受信する。データベースは、例えば、インターネットまたは学習アルゴリズムを介して自動で更新されてもよく、手動で更新されてもよい。
【００１０】
本発明によって、また、初めてダイヤルされた電話番号をデータベースに追加することもでき、最も適切なパラメータセットおよび／またはソフトウェアが決定されると、適切なパラメータセットおよび／またはソフトウェアを追加することもできる。
【００１１】
例えば、電話番号がダイヤルされ、保留音楽が受信されると、ユーザは、例えば、透かしおよびフラグに始まる検出種類の各々を試みる認識プロセスを手動でトリガすることができる。具体的な種類が検出されると、情報は、後の参照のためにデータベースに記憶される。オーディオ信号分析を常時実行させて、保留音楽の検出を試みることで、ユーザインタラクションを替えてもよいことは、当然である。保留音楽がオーディオ信号分析によって検出されると、改良のために他の方法を試みることができ、分析の結果に基づいてデータベースを更新することができる。
【００１２】
一般的に、パラメータセットの決定は、ユーザ入力に応答して手動でトリガされてもよく、接続が確立されている状態で異なるパラメータセットおよび／またはソフトウェアを順次試みることによって、自動でトリガされてもよい。
【００１３】
電話番号ごとの保留音楽の検出を継続的に向上させるために、検出向上のためのパラメータセットを、適応的にチューニングしてもよい。改良されたパラメータセットが見つかると、そのパラメータセットは関連付けられた電話番号に関して記憶される。チューニングは、「ライブで」、すなわち、保留音楽との接続が確立された状態で行われてもよく、オフラインで行われてもよい。オフライン認識では、以前のパラメータセットで検出された保留音楽の一部を記憶して、後に分析する。
【００１４】
パラメータセットおよび／またはソフトウェアの決定は、別個のデータ接続を介して、パラメータセットおよび／またはソフトウェアを取得することを含んでもよい。パラメータセットおよび／またはソフトウェアの受信は、別途請求されてもよく、無料であってもよい。
【００１５】
ソフトウェアおよび／またはパラメータセットが有料で提供される場合、電話番号によって請求してもよい。例えば、個々の電話番号がダイヤルされると、この番号は、別個のデータ接続に関連付けられてもよく、そのデータ接続を介して、パラメータセットおよび／またはソフトウェアが提供される。この提供は、帯域外で行ってもよく、帯域内で行ってもよい。別個のデータ接続を介したこのような提供は、徐々に従来の電話網を置き換えているＩＰベースの電話網、すなわち、ＶｏＩＰネットワークの実装に特に有用、簡単である。
【００１６】
本発明によって、また、保留音楽を使用しないことが分かっている電話番号に関して、検出機構が働かないようにすることもできる。これによって、ユーザの装置にかかる処理負荷を低減して、電力消費を抑える。あるいは、必要とされない処理負荷は、そうでなければ遅延したであろう他のタスクの処理に用いることができる。
【００１７】
本発明の一態様による保留音楽検出装置における検出パラメータ設定方法は、ダイヤルされた電話番号を、データベースの電話番号と比較することを含む。上記ダイヤルされた電話番号が上記データベースで見つかった場合、その電話番号の検出パラメータを、上記データベースから取り出し、保留音楽検出ユニットに提供する。
【００１８】
保留音楽の検出は、保留中である第一者側の電話装置で行ってもよく、この第一者と第二者との間にあるネットワークに配置された検出部で行ってもよい。検出部は、接続に対して少なくともリスナーアクセスを有し、保留音楽を置き換えるために上記接続に何らかの制御を行う。
【００１９】
同様に、上記データベースは、上記第一者側の電話装置に配置されてもよく、リモートに配置されてもよい。
【００２０】
パラメータおよび／またはソフトウェアの取り出し、または、保留音楽検出ユニットへのパラメータおよび／またはソフトウェアの提供のための、上記データベースおよび／または上記保留音楽検出ユニットへのアクセスは、既知のネットワーク技術を使用して確立することができる。これらの既知のネットワーク技術には、例えば、ＤＴＭＦキーを用いた帯域内周波信号伝達、または、例えば、一般的に知られた種類の別個のデータ接続を介した帯域外周波信号伝達が含まれる。
【００２１】
本発明の一実施形態においては、パラメータによって、保留音楽検出ユニットがオーディオ信号分析を行うように構成される。
【００２２】
前述の実施形態の開発において、オーディオ信号分析は、適応的に自己学習するように構成されている。自己学習に従って、保留音楽の検出が行われた、以前の電話接続中、または、その後に、保留音楽検出の速度、精度、および／または信頼性を向上させるために、信号分析パラメータは修正される。改良されたパラメータセットが決定されると、そのパラメータセットは関連付けられた電話番号に関して記憶される。
【００２３】
適応的に自己学習するプロセスは、上記電話接続および上記保留音楽がアクティブである間に実行されてもよく、上記電話接続が終了した後で実行されてもよい。後者の場合、前のパラメータセットで認識された保留音楽の少なくとも一部が記憶され、自己学習プロセスのために、後でアクセスされる。記憶された部分はまた、パラメータ抽出を行うために、ユーザの装置から離れた装置に送られてもよく、上記処理の終了後、そのパラメータのみが、記憶および後の使用のために受信される。
【００２４】
ある電話番号が初めてダイヤルされた場合、保留音楽検出ユニットは、初期パラメータセットで動作してもよく、次に、前述の方法の１つで、パラメータセットの最適化を行ってよい。この文脈においては、後にオフラインでパラメータセットを決定するために、ユーザコマンドに応答して、保留音楽を含む部分、または、通話全体を記録することもできる。この新しい電話番号に関するパラメータが決定されると、電話番号とパラメータを関連付けて上記データベースに記憶する。
【００２５】
上記適応的な自己学習プロセスは、ユーザが選択した初期パラメータセットに基づいて、保留音楽の種類に応じて、または、透かしによる保留音楽の検出に応じて実行されてもよい。
【００２６】
あるいは、上記適応的な自己学習は、多くの検出方法および／またはパラメータセットのうち、各１つを順次試して、性能が最高のものを選択してよい。
【００２７】
性能が最高のソフトウェアおよび／またはパラメータセットの判断は、例えば、所定の閾値に従って自動で行われてもよく、ユーザ入力に応答して行われてもよい。
【００２８】
上記でさらに説明したように、異なる種類の保留音楽は、最適の認識結果を得るために、異なるパラメータ、および／または、ソフトウェアもしくはアルゴリズムを必要とする。
【００２９】
カリフォルニア州パロアルト、Ｉｎｔｅｒｖａｌ  Ｒｅｓｅａｒｃｈ社のＳｃｈｒｅｉｎｅｒ氏／Ｓｌａｎｅｙ氏による「Ｃｏｎｓｔｒｕｃｔｉｏｎ  ａｎｄ  ｅｖａｌｕａｔｉｏｎ  ｏｆ  ａ  ｒｏｂｕｓｔ  ｍｕｌｔｉｆｅａｔｕｒｅ  Ｓｐｅｅｃｈ／Ｍｕｓｉｃ  ｄｉｓｃｒｉｍｉｎａｔｏｒ」、および、２００７年、オーストリア、ケプラー大学のＳｅｙｅｒｌｅｈｎｅｒ氏／Ｐｏｈｌｅ氏／Ｓｃｈｅｄｌ氏／Ｗｉｄｍｅｒ氏による「Ａｕｔｏｍａｔｉｃ  Ｍｕｓｉｃ  Ｄｅｔｅｃｔｉｏｎ  ｉｎ  Ｔｅｌｅｖｉｓｉｏｎ Ｐｒｏｄｕｃｔｉｏｎｓ」において、オーディオシーケンスを分類するために抽出および分析することができるオーディオシーケンスの多くの異なる特徴が挙げられている。オーディオ特徴の例は、４Ｈｚ変調エネルギー、「低エネルギー」フレーム率、スペクトルロールオフ点、スペクトルセントロイド、スペクトル「フラックス」、スペクトルエントロピー、零交差率、ケプストラム再合成残差量（Ｃｅｐｓｔｒｕｍ  Ｒｅｓｙｎｔｈｅｓｉｓ  Ｒｅｓｉｄｕａｌ  Ｍａｇｎｉｔｕｄｅ）、パルスメトリック（Ｐｕｌｓｅ  ｍｅｔｒｉｃ）、線形予測係数などである。
【００３０】
多くの場合、検出を成功させるために、それぞれ異なる方法を用いて、幾つかの特徴を並行して分析する。本発明の一態様によると、ある通話を分析する時、個々の各特徴に関して最高の結果を提供すると特定された方法から始めるのが望ましい。すなわち、様々な特徴を同時に分析する場合、個々の特徴に対して最適であると特定済みである各パラメータまたはソフトウェアからなる、異なるパラメータセットおよび／またはソフトウェアの種類を同時に用いてよい。
【００３１】
前述の各方法は、オーディオシーケンスの分析に関して、大きく異なる要件を有する。この結果、分析のためのセグメント分析窓長、検出閾値などが異なる。
【００３２】
「パルスメトリック」は、長期のフィルタリングされた自己相関を用いて、数秒間の持続時間を有する窓でリズムの量を判定し、信号内にある、例えば、テクノ、サルサ、ロックなどの音楽の強く、激しいビートを検出する。これと比較して、「低エネルギー」フレームは、通常、約１秒間の持続時間を有するオーディオシーケンスのＲＭＳによって検出される。
【００３３】
使用された方法に関する入手可能な最高の／最適化されたパラメータは、素早い検出のための可能な最高の値を次の検出プロセスに事前に知らせるために、上記データベースに記憶される。また、上記のように、パラメータを、次の検出プロセス中にさらに最適化してもよい。
【００３４】
ＳＮ比または特定の雑音パターンは、使用されている待ち行列音楽（ｗａｉｔｉｎｇ−ｑｕｅｕｅ  ｍｕｓｉｃ）の特性、無音の時間、および、音声通信であり得る。これらのパラメータに関して既知の値を用いることによって、検出プロセスの速度は向上する。
【００３５】
各ジャンルの待ち行列音楽は、独自の具体的なパターン、例えば、テクノ、ブルース、ポップ、シンセサイザーなどの音楽を有するので、特定の電話番号に対して保留音楽で多く用いられるジャンルを記憶することによって、方法およびパラメータを適切に選択することができる。
【００３６】
同様に、例えば、無音、クリック、雑音などの、音声と音楽、または、音楽と音声との間の移行は、個々の電話番号に特徴的であり得る。このような移行は、素早く検出することができ、保留音楽の開始および／または終了の良い指標となる。
【００３７】
ユーザは、絶えず自分を欺く特徴を用いようとはしないので、検出プロセスの信頼性がユーザにとって重要であることは明らかである。各番号および検出プロセスの監視は重要である。信頼性の簡単な評価方法は、待ち行列音楽の置き換えのために、ユーザが手動でトリガした割り込みの数を追跡することである。手動割り込みが繰り返し記録される電話番号は、リストでチェックされ、より強力な方法およびパラメータを検出に適用してよい。
【００３８】
音声通知が保留音楽に差し挟まれる、すなわち、音楽が中断されることは、頻繁にある。これは、保留音楽の検出を妨げる可能性があり、特に、差し挟まれた通知が保留状態の者に追加の情報も価値も与えない場合、置き換えるコンテンツの再生中に、望まない割り込みとなる。このような通知には、特に、「電話を切らずにお待ち下さい。」、「間もなくサービスエージェントにおつなぎしますので、しばらくお待ちください。」、または、「ただ今、電話が混み合っています。しばらく、お待ち下さい。」などの一般的または標準的な音声通知が含まれる。この種の通知は、第１種の音声通知グループに割り当てることができ、本発明の文脈では無視することができる。
【００３９】
最初の音楽認識によって保留音楽の認識に成功すると、このような種類の音声通知に関連付けられた電話番号は、認識機構を再度、事前準備することができる。
【００４０】
本発明の全ての態様において、機能検出ブロックを、一般的なマイクロプロセッサ上、または、専用オーディオプロセッサ上で実行しているソフトウェアプログラムによって実装してもよい。例えば、ＡＳＩＣ、ＦＰＧＡ、または、その組み合わせで実装してもよい。しかし、さらに機能ブロックの全てまたは一部を、専用のハードウェアで実装してもよい。
【００４１】
上記の態様、実施形態、および変形形態は、様々な方法で組み合わせ可能なことは、当業者には明らかであろう。
【００４２】
本発明は、多くの種類の通信システム、例えば、従来の電話システム、携帯電話システム、ＶＯＩＰ電話システム、ビデオ会議システム、および無線通信システムに組み込むことができる。
【００４３】
本発明は、上記のシステムで実行されると本発明の方法の１つまたは複数の態様を行うプログラム命令を非一時的に記録するためのデータ記憶装置も含む。
【図面の簡単な説明】
【００４４】
以下に、本発明を添付の図面を参照しながら記載する。
【図１】本発明の第１の態様に従った第１の例示のシステムの概略図である。
【図２】本発明の第２の態様に従った第２の例示のシステムの概略図である。
【図３】本発明の第３の態様に従った第３の例示のシステムの概略図である。
【図４】本発明の第４の態様に従った第４の例示のシステムの概略図である。
【図５】本発明の第５の態様に従った第５の例示のシステムの概略図である。
【図６】本発明の第６の態様に従った第６の例示のシステムの概略図である。
【図７】本発明に従った第一者の装置の例示のブロック図である。
【図８】本発明に従った方法のフロー図である。
【発明を実施するための形態】
【００４５】
図１は、本発明の第１の態様に従った第１の例示のシステムの概略図である。同時に、図１は、本発明の第１の態様に従った方法のメッセージと制御フローを示している。
【００４６】
電話記号１０１で表される第一者が、電話記号１０２で表される第二者に電話をかける。ダイヤルされた電話番号は、ダイヤル番号認識モジュール１０３によって検出または認識される。使用される電話システムに応じて、パルス列、ＤＴＭＦ、デジタル信号伝達などを用いて、番号がダイヤルされる。番号がダイヤルされる方法は、本発明には無関係である。重要なのは、ダイヤルされた番号が、本方法に利用可能であることだけである。図に示したものとは異なるが、電話１０１および保留音楽検出および置換装置１００は、１つの装置に一体化することができる。この場合、ダイヤルされた電話番号が、発明の方法に従った使用に容易に利用できることは明らかである。
【００４７】
ダイヤルされた電話番号が利用可能であれば、その電話番号を、電話番号に関連付けられた保留音楽認識パラメータおよび／またはソフトウェアを記憶しているデータベース１０４で検索する。データベース１０４は、装置に一体化してもよく、例えば、ＵＳＢ、Ｆｉｒｅｗｉｒｅ、ＬＡＮネットワークなどを含むローカルネットワークを介して、別に取り付けてもよい。ダイヤルされた電話番号がデータベース１０４で見つかった場合、データベース１０４は、それに応じた保留音楽認識パラメータおよび／またはソフトウェアを保留音楽検出部１０６に提供する。保留音楽検出部１０６は、ネットワーク１０７を介して送信される音声信号を聴く。図においては、第二者１０２は、第一者１０１が保留中、音階（ｍｕｓｉｃ  ｋｅｙｓ）によって表される保留音楽を送信する。保留音楽が第二者の側から出ているか、またはネットワーク１０７のどこかで与えられるかは、無関係である。
【００４８】
保留音楽検出部１０６は、保留音楽が検出されたか否かに応じて、保留音楽をコンテンツソース１０９からの他のコンテンツと置き換えるように、置換部１０８を制御する。データベース１０４と同じように、コンテンツソース１０９は、装置に一体化してもよく、例えば、ＵＳＢ、Ｆｉｒｅｗｉｒｅ、ＬＡＮネットワークなどを含むローカルネットワークを介して、または、アナログオーディオ／ビデオ接続を介して、別に取り付けてもよい。
【００４９】
図２は、本発明の第２の態様に従った第２の例示のシステムの概略図である。図１と同様に、図２もまた、本発明の第２の態様に従った方法のメッセージと制御フローを示している。
【００５０】
図２のシステムは、データベース２０４が、第一者の保留音楽検出および置換装置２００から離れて配置されている点で、図１を参照して記載したシステムとは異なる。データベース２０４は、ネットワーク内のどこに配置されてもよい。ダイヤルされた電話番号は、ダイヤル番号認識モジュール２０３によって、リモートデータベース２０４に送信される。送信は、例えば、ＤＴＭＦトーンを用いて帯域内で行われてもよく、別個のデータ接続を介して帯域外で行われてもよい。ダイヤルされた電話番号がデータベース２０４で見つかった場合、データベース２０４は、保留音楽認識パラメータおよび／またはソフトウェアを保留音楽検出部２０６に提供する。この送信も帯域内で行われてもよく、帯域外で行われてもよい。
【００５１】
一般的に、かつ、本明細書に記載の各態様に当てはまることであるが、ボイスオーバーＩＰ、すなわち、ＶｏＩＰ電話システムを用いる場合、データの帯域外送信に必要なのは、単に、追加のデータパケットを幾つか、確立された接続を介して、または、確立された接続と並行して別個の論理接続を用いて、送ることである。
【００５２】
図２のシステムの残りの要素および機能は、図１に記載の要素および機能に相当する。
【００５３】
図３は、本発明の第３の態様に従った第３の例示のシステムの概略図である。図１および図２と同様に、図３もまた、本発明の第３の態様に従った方法のメッセージと制御フローを示している。
【００５４】
図３のシステムは、ダイヤル番号認識モジュール３０３が、第一者の保留音楽検出および置換装置３００から離れて配置されている点で、図２を参照して記載したシステムと異なる。ダイヤル番号認識モジュール３０３は、ネットワークのどこに配置されてもよく、ネットワークに一体化された部分であってもよい。電話交換機または電話局は、電話接続を確立するために、ダイヤルされた電話番号を知る必要があるのは明らかである。データベース３０４もネットワークに配置される場合、または、ネットワークに近接して取り付けられる場合、ダイヤルされた電話番号は、ネットワーク３０７からデータベース３０４に直接、送信され、データベース３０４は、次に、保留音楽認識パラメータおよび／またはソフトウェアを保留音楽検出部３０６に提供する。図２に記載のように、この送信は、帯域内で行われてもよく、帯域外で行われてもよい。
【００５５】
図３のシステムの残りの要素および機能は、図１または図２に記載の要素および機能に相当する。
【００５６】
図４は、本発明の第４の態様に従った第４の例示のシステムの概略図である。図１〜図３と同様に、図４もまた、本発明の第４の態様に従った方法のメッセージと制御フローを示している。
【００５７】
図４のシステムにおいては、置換部（ｒｅｐｌａｃｅｒ）４０８は、コンテンツソース４０９と同じように、ネットワークに配置される。ダイヤル番号認識モジュール４０３は、第一者の施設に配置され、同様に第一者の施設に配置されたデータベース４０４に、ダイヤルされた番号を提供する。上記の例と同様、データベース４０４は、装置に一体化されてもよく、例えば、ＵＳＢ、Ｆｉｒｅｗｉｒｅ、ＬＡＮネットワークなどを含むローカルネットワークを介して、別に取り付けてもよい。ダイヤルされた電話番号がデータベース４０４で見つかった場合、データベース４０４は、それに応じた保留音楽認識パラメータおよび／またはソフトウェアを保留音楽検出部４０６に提供する。保留音楽検出部４０６は、ネットワークに配置され、第一者と第二者との間の通信へのリスナーアクセスを有し、保留音楽をコンテンツソース４０９から取り出したオーディオ／ビデオコンテンツと置き換えるように置換部４０８を制御する。保留音楽との置き換えに使用されるコンテンツの種類は、第一者によって予め設定されてもよく、通話ごとに制御されてもよい。このような制御は、関連機能に関して上述したように、例えば、ＤＴＭＦトーンを用いた帯域内信号伝達を通して、または、帯域外周波信号伝達を通して可能である。
【００５８】
図５は、本発明の第５の態様に従った第５の例示のシステムの概略図である。図１〜図４と同様に、図５もまた、本発明の第５の態様に従った方法のメッセージと制御フローを示している。
【００５９】
図５のシステムは、データベース５０４が、第一者の施設から離れて配置されているという点で、図４を参照して記載したシステムと異なる。第一者の施設で行われる唯一の機能は、ダイヤル番号認識モジュール５０３におけるダイヤルされた番号の認識と、保留音楽と置き換えるコンテンツの制御（図示せず）である。
【００６０】
図６は、本発明の第６の態様に従った第６の例示のシステムの概略図である。図１〜図５と同様に、図６もまた、本発明の第６の態様に従った方法のメッセージと制御フローを示している。
【００６１】
図６のシステムにおいては、全ての必須の要素が、第一者の施設から離れて配置されている。第一者の施設で行われる唯一の機能は、保留音楽と置き換えるコンテンツの制御（図示せず）である。
【００６２】
ダイヤルされた電話番号は、図３を参照して記載したように、ネットワークからデータベースに提供される。残りの機能は、図４を参照して記載した機能と非常に似通っている。すなわち、ダイヤルされた電話番号がデータベース６０４で見つかった場合、データベース６０４は、それに応じた保留音楽認識パラメータおよび／またはソフトウェアを保留音楽検出部６０６に提供する。保留音楽検出部６０６は、ネットワークに配置され、第一者と第二者との間の通信にリスナーアクセスを有し、保留音楽をコンテンツソース６０９から取り出したオーディオ／ビデオコンテンツと置き換えるように置換部６０８を制御する。保留音楽との置き換えに使用されるコンテンツの種類は、第一者によって予め設定されてもよく、通話ごとに制御されてもよい。このような制御は、関連機能に関して上述したように、例えば、ＤＴＭＦトーンを用いた帯域内周波信号伝達を通して、または、帯域外周波信号伝達を通して可能である。
【００６３】
図７は、本発明に従った第一者の装置７００の例示のブロック図である。入力部７３０は、保留音楽、通知、会話の１つまたは複数を含むオーディオ信号を受信する。ブロック７３２は、ダイヤルされた電話番号に従って提供されたパラメータおよび／またはソフトウェアを用いて、例えば、オーディオ信号分析によって、保留音楽を検出する。ブロック７３２は、ブロック７３４と接続しており、ブロック７３４は、ダイヤルされた電話番号に基づいて、保留音楽検出ブロックを選択または事前準備する。例えば、保留音楽検出のためのフィルタパラメータを設定、または、保留音楽検出のための様々な方法、すなわち、透かし、フラグ、オーディオ信号分析の１つを選択する。
【００６４】
ブロック７３２および７３４は、コントローラ７３６に接続され、コントローラ７３６は、一般的な電話機能を提供するブロック７３８、およびユーザインタフェースブロック７４２に接続される。ユーザインタフェースブロック７４２は、ブロック７３８にも接続される。コントローラ７３６は、音楽プレーヤブロック７４４を制御し、音楽プレーヤブロック７４４は、コンテンツデータベース７４６に接続される。音楽プレーヤブロック７４６は、携帯電話の一部であってよいが、第一者の装置に取り付けられた任意のコンテンツソースを含んでもよい。合成部７４８は、コントローラ７３６の制御の下、電話機能ブロック７３８および音楽プレーヤブロック７４４からそれぞれ受信したオーディオ信号を選択および／または合成し、オーディオ信号を出力部７５２に送る。
【００６５】
図８は、本発明に従った方法のフロー図である。ステップ８０１において、ダイヤルされた電話番号が受信され、ステップ８０２で、その電話番号をデータベースで検索する。ダイヤルされた電話番号がデータベースで見つかった場合、すなわち、ステップ８０２が「ｙｅｓ」分岐の場合、ステップ８０３で、電話番号に関連付けてデータベースに記憶されている、保留音楽検出部が使用するための保留音楽認識パラメータおよび／またはソフトウェアが、データベースから取り出される。取り出されたパラメータおよび／またはソフトウェアは、次に、ステップ８０４で、保留音楽検出部に提供され、それに応じて、保留音楽の検出および置き換えが行われる（図示せず）。
【００６６】
ダイヤルされた電話番号がデータベースで見つからない場合、すなわち、ステップ８０２が「ｎｏ」分岐の場合、ステップ８０５で、ダイヤルされた電話番号がデータベースに追加され、ステップ８０６で、保留音楽の検出を行うために最初の検出プロセスが開始される。保留音楽が検出された場合、ステップ８０７で、その電話番号に関して、最も適切な検出機構、パラメータ、および／またはソフトウェアに関する情報が、データベースに記憶される。同様に、何らかの理由で、保留音楽が検出されなかった場合、その情報も、データベースに記憶してもよい。オプションとして、後者の場合、記憶された情報は、その電話番号が後に再度ダイヤルされた場合、最初の検出プロセスをトリガするために、初期パラメータおよび／もしくはソフトウェア、または、それに応じたフラグを含んでよい。あるいは、記憶された情報は、この電話番号に関して保留音楽検出は行われないことを示すフラグを含んでもよい。
【００６７】
ユーザが予め選択したパラメータおよび／またはソフトウェアなどの手動の介入は、図示していないが、それらも、本発明の実施形態に含まれる。同様に、検出および／またはデータベース更新プロセスの手動による起動は、図示していないが、それらも、本発明の実施形態に含まれる。
【図１】
2016010155.tif 000003
【図２】
2016010155.tif 000004
【図３】
2016010155.tif 000005
【図４】
2016010155.tif 000006
【図５】
2016010155.tif 000007
【図６】
2016010155.tif 000008
【図７】
2016010155.tif 000009
【図８】
2016010155.tif 000010
【外国語明細書】
2016010155000001.pdf